(57)【要約】【課題】  ベルト直線状態におけるエレメントの移動の自由度を確保しつつ、ベルト湾曲状態におけるエレメントのヨーイングを抑制することで、伝動ベルトおよびプーリの耐久性を向上させる。【解決手段】  環状の帯状体１０により環状に結束される多数のエレメント１に、ロッキングエッジ１３が形成され、前記エレメント１の頭部７に第１の凹・凸部１４，１５が形成され、前記エレメント１の前記ロッキングエッジ１３よりも前記プーリ５の中心に近い部分に第２の凹・凸部１７，１８が形成された伝動ベルトにおいて、前記エレメント１がベルト直線状態となった場合に、前記第１の凹・凸部１４，１５が係合状態となるとともに、前記第２の凹・凸部１７，１８が非係合状態となり、前記エレメント１が前記ベルト湾曲状態となった場合に、前記第２の凹・凸部１７，１８が係合状態となるように構成されている。【選択図】  図１
2006266363.tif 000002
【特許請求の範囲】
【請求項１】
環状の帯状体によりその周方向に積層して配列されて環状に結束される多数のエレメントに、前記エレメントの配列方向での一方の面に、前記エレメントがプーリに巻き掛かり円弧状に湾曲して配列されるベルト湾曲状態となった場合に隣接するエレメントと接触するロッキングエッジが形成され、前記エレメントの頭部に、隣接するエレメントの間で互いに係合する第１の凹・凸部が形成され、前記エレメントの本体部の前記ロッキングエッジよりも前記プーリの中心に近い部分に、隣接するエレメントの間で互いに係合する第２の凹・凸部が形成された伝動ベルトにおいて、
前記エレメントが前記プーリに巻き掛からず直線状に配列されるベルト直線状態となった場合に、前記第１の凹・凸部が係合状態となるとともに、前記第２の凹・凸部が非係合状態となり、前記エレメントが前記ベルト湾曲状態となった場合に、前記第２の凹・凸部が係合状態となるように構成されていることを特徴とする伝動ベルト。
【請求項２】
前記第１の凹・凸部間のクリアランスよりも、前記第２の凹・凸部間のクリアランスが小さくなるように構成されていることを特徴とする請求項１に記載の伝動ベルト。
【発明の詳細な説明】
【技術分野】
【０００１】
この発明は、二つの回転部材の間に巻き掛けられてその間で動力を伝達する、環状の帯状体とエレメントとからなる伝動ベルトに関するものである。
【背景技術】
【０００２】
一般に、二つの回転部材同士の間で動力の伝達をおこなう場合に用いる変速機として、有段変速機と無段変速機とがあり、無段変速機としてはベルト式無段変速機およびトロイダル式無段変速機などが知られている。このうち、ベルト式無段変速機は、伝動ベルトと、駆動側プーリおよび従動側プーリの二組のプーリとを使用して変速比を無段階に変化させる変速機である。また、そのようなベルト式無段変速機に用いられる伝動ベルトとしては、例えばエレメントあるいはブロックと称される多数の板片をその板厚方向に互いに重ね合わせて環状に配列するとともに、それらの板片をフープあるいはリングなどと称される環状の帯状体で環状に結束することによって、無端環状に形成されたベルトが知られている。
【０００３】
このような伝動ベルトが、駆動側および従動側の二組のプーリに巻き掛けられ、駆動側プーリが駆動されると、エレメントには、エレメントと駆動側プーリとの接触部分の摩擦力、および、駆動側プーリのトルクに応じて駆動側プーリからエレメントに対して加えられるエレメントの積層方向すなわちエレメントの厚さ方向の圧縮力が作用する。そして、駆動側プーリに接触しているエレメントに伝達された圧縮力は、プーリに巻き掛けられていない直線状態の各エレメントを経由して、従動側プーリに接触しているエレメントに伝達される。この従動側プーリに接触しているエレメントに圧縮力が伝達されると、そのエレメントと従動側プーリとの接触部分の摩擦力、および伝達された圧縮力に応じて従動側プーリを回転させようとするトルクが発生する。このようにして、駆動側プーリと従動側プーリとの間で、伝動ベルトを介して動力伝達がおこなわれる。
【０００４】
上記のような伝動ベルトおよびその伝動ベルトを構成するエレメントの一例が特許文献１に記載されている。この特許文献１に記載されている高負荷伝動用ベルトに用いられるブロック体（エレメント）は、ブロック体の上下方向および左右方向の動き、あるいはブロック体同士の揺動を規制することを目的として、そのヘッド（頭部）に上突起部が設けられ、また本体部のテーパ開始ライン（ロッキングエッジ）より下方側に離れた位置に下突起部が設けられているとともに、それらの上下突起部が設けられている一方の面とは反対の他方の面におけるそれら上下突起部に対応した位置に、段状の上下棚部が設けられている。そして、上突起部が上棚部に、下突起部が下棚部にそれぞれ設置されることにより、ブロック体が互いに係合するように形成されている。
【０００５】
そのため、ブロック体がプーリに巻き掛かる際に、各ブロック体の上下方向および左右方向の動きが規制され、さらにブロック体が上突起部を軸として揺動することも規制され、その結果ブロック体の局部的な疲労および摩耗を抑制することができる、とされている。
【０００６】
また、特許文献２には、ベルト式無段変速機構の駆動装置に用いられるブロック片（エレメント）として、一方の側面に複数の凸部が形成されるとともに、他方の側面にそれら複数の凸部にそれぞれ嵌合することのできる複数の凹部が形成されたブロック片が記載されている。すなわち、この特許文献２に記載されているブロック片は、互いに隣接するブロック片同士が、凹凸嵌合部を支点とした上下の揺動を抑制することを目的として、上記の特許文献１に記載されているブロック体と同様に、ブロック片の頭部と本体部とに、互いに係合する凹凸部がそれぞれ設けられている。
【０００７】
さらに、非特許文献１には、ブロック間の上下位置がずれることにより、ブロック整列用のディンプルとホールとに上下方向の干渉が起きてブロックに生じる応力が大きくなったり、ブロック間の相対角度がずれることにより、フープおよびブロックに生じる応力が大きくなることの防止を目的として、ブロックの頭部に、隣接するブロックに対向する対向面の一方にディンプルが、他方にホールが形成されるとともに、それらのディンプルおよびホールとは別に、ブロックの本体部に、互いに係合する凹凸部が形成されているブロックが記載されている。そしてこの非特許文献１に記載されているブロックは、ディンプルとホールとによる係合部ではブロックの上下方向への移動は許容され、ディンプルおよびホールとは別の凹凸部による係合部でブロック間の相対回転が規制されるように構成されている。
【特許文献１】特開平３−２５５２４７号公報
【特許文献２】実開昭６１−９７６４６号公報
【非特許文献１】発明協会公開技報公技番号２００１−７６５号
【発明の開示】
【発明が解決しようとする課題】
【０００８】
上記の各文献に記載されているような伝動ベルトが二組のプーリに巻き掛けられると、伝動ベルトの状態は、エレメントが前記プーリに巻き掛からずに直線状に配列されるベルト直線状態の部分と、エレメントがプーリに巻き掛かって円弧状に湾曲して配列されるベルト湾曲状態の部分とに分けられる。このうち、ベルト直線状態では、伝動ベルトの走行中に、隣接するエレメント同士の相対位置が上下方向あるいは左右方向へずれると、伝動ベルトが大きく波打ったり、蛇行したりする場合がある。そのため、従来のエレメントには、通常、エレメントの頭部に、ベルト直線状態で互いに係合するディンプル（凸部）とホール（凹部）とが設けられている。
【０００９】
一方、ベルト湾曲状態では、プーリに巻き掛かったエレメントは、プーリの固定シーブと可動シーブとに挟み込まれるため、上下方向あるいは左右方向への移動は規制されるものの、プーリ間の芯ずれなどの影響により、エレメントがプーリの径方向を軸として回転した状態、すなわちいわゆるエレメントのヨーイングが発生する場合がある。エレメントがプーリに巻き掛かった状態でエレメントのヨーイングが発生すると、エレメントとプーリとが片当たりし、すなわちエレメントの左右側面のコーナーエッジ部とプーリのベルト巻き掛け溝とが線接触し、それらの接触部分が偏摩耗して伝動ベルトおよびプーリの耐久性を低下させてしまう。そこで、上記の各文献に記載されているエレメントでは、エレメントの頭部に設けられたベルト直線状態で互いに係合するディンプルおよびホールとは別に、エレメントの本体部に、ベルト湾曲状態で互いに係合する凹部と凸部とを設けることにより、エレメントの上下・左右方向の移動、あるいはヨーイング方向の移動を規制し、エレメントとプーリとの間の偏摩耗の防止を図っている。
【００１０】
しかしながら、上記の各文献に記載されているエレメントでは、エレメント頭部のディンプルおよびホールとは別に設けられたベルト湾曲状態で互いに係合するエレメント本体部の凹・凸部が、ベルト直線状態においても互いに係合する構成となっている。そのため、伝動ベルトがベルト直線状態で走行している際、あるいはベルト直線状態からエレメントがプーリに巻き掛かかる際に、エレメントの頭部と本体部との二カ所に設けられた凹・凸部が、互いに干渉しながら係合することによって、エレメントの移動の自由が制限される。その結果、それら凹・凸部間における干渉部分で大きな応力が発生し、伝動ベルトおよびプーリの耐久性が低下してしまうおそれがあった。
【００１１】
この発明は上記の技術的課題に着目してなされたものであり、エレメントがプーリに巻き掛からないベルト直線状態におけるエレメントの移動の自由度を確保しつつ、エレメントがプーリに巻き掛かるベルト湾曲状態におけるエレメントのヨーイングを抑制することで、エレメントとプーリとの片当たりを防止もしくは抑制し、それらの接触部分における摩耗を低減して、伝動ベルトおよびプーリの耐久性を向上させることを目的とするものである。
【課題を解決するための手段】
【００１２】
上記の目的を達成するために、請求項１の発明は、環状の帯状体によりその周方向に積層して配列されて環状に結束される多数のエレメントに、各エレメントの配列方向での一方の面に、各エレメントがプーリに巻き掛かり円弧状に湾曲して配列されるベルト湾曲状態となった場合に隣接するエレメントと接触するロッキングエッジが形成され、前記エレメントの頭部に、隣接するエレメントの間で互いに係合する第１の凹・凸部が形成され、前記エレメントの本体部の前記ロッキングエッジよりも前記プーリの中心に近い部分に、隣接するエレメントの間で互いに係合する第２の凹・凸部が形成された伝動ベルトにおいて、前記エレメントが前記プーリに巻き掛からず直線状に配列されるベルト直線状態となった場合に、前記第１の凹・凸部が係合状態となるとともに、前記第２の凹・凸部が非係合状態となり、前記エレメントが前記ベルト湾曲状態となった場合に、前記第２の凹・凸部が係合状態となるように構成されていることを特徴とするものである。
【００１３】
また、請求項２の発明は、請求項１の発明において、前記第１の凹・凸部間のクリアランスよりも、前記第２の凹・凸部間のクリアランスが小さくなるように構成されていることを特徴とするものである。
【発明の効果】
【００１４】
請求項１の発明によれば、エレメントがプーリに巻き掛からずに直線状に配列されるベルト直線状態では、エレメント頭部に形成された第１の凹・凸部が、隣接するエレメント同士の間で互いに係合されて係合状態となり、エレメント本体部のロッキングエッジよりもプーリの中心に近い位置に形成された第２の凹・凸部が、隣接するエレメント同士の間で互いに係合されない非係合状態となる。そして、エレメントがプーリに巻き掛かり円弧状に湾曲して配列されるベルト湾曲状態では、第２の凹・凸部が係合状態となる。そのため、ベルト直線状態の伝動ベルトにおいて、隣接する各エレメントは、第１の凹・凸部が互いに嵌合することによって、エレメント同士の上下方向および左右方向の相対位置が決められるとともに、第２の凹・凸部は嵌合されないため、エレメントが第１の凹・凸部の嵌合部分を支点として移動しても、第１の凹・凸部および第２の凹の嵌合部分で互いに干渉を起こし、大きな応力が生じてしまうことを回避できる。そして、ベルト湾曲状態の伝動ベルトにおいては、隣接する各エレメントは、第２の凹・凸部が互いに嵌合することによって、プーリ内でのエレメントのヨーイングの発生を防止し、もしくは抑制することができ、エレメントの左右側面とプーリのベルト巻き掛け溝とが片当たりして、それらの接触部分で偏摩耗が生じてしまうことを防止もしくは抑制することができる。その結果、伝動ベルトおよびプーリの耐久性を向上させることができる。
【００１５】
また、請求項２の発明によれば、ベルト湾曲状態の伝動ベルトにおいて、隣接する各エレメントは、第１の凹・凸部間のクリアランスよりも小さなクリアランスに設定されている第２の凹・凸部が互いに嵌合することによって、プーリ内でのエレメントのヨーイングの発生をより確実に防止し、もしくは抑制することができ、エレメントの左右側面とプーリのベルト巻き掛け溝とが片当たりして、それらの接触部分で偏摩耗が生じてしまうことをより確実に防止もしくは抑制することができる。その結果、伝動ベルトおよびプーリの耐久性をより一層向上させることができる。
【発明を実施するための最良の形態】
【００１６】
つぎに、この発明を図面を参照して具体的に説明する。図１、図２にこの発明に係る伝動ベルトを構成するエレメントの構成例を示してある。ここでの伝動ベルトＶは、ベルト式無段変速機の駆動側（入力軸）プーリと従動側（出力軸）プーリとに巻き掛けられて、それらのプーリの間で動力を伝達するベルトの例を示している。図１において、エレメント１は、例えば金属製の板片状の部材からなり、その幅方向（図１のｘ方向）における左右の両側面２，３が、テーパ状の傾斜した面として形成された基体（本体）部分である板部４を有し、そのテーパ状に傾斜した左右側面２，３が、ベルト式無段変速機の駆動側プーリあるいは従動側プーリであるプーリ５のベルト巻き掛け溝（Ｖ形溝）５ａに摩擦接触してトルクを伝達する摩擦面２，３とされている。
【００１７】
その板部４の幅方向（図１のｘ方向）における中央部に、図１での上方に延びた首部６が形成されている。その首部６の上端部には、板部４の幅方向での両側に傘状に延びた頭部７が首部６と一体に形成されている。したがって板部４の図１，２での上側のエッジ部分と頭部７の図１，２での下側のエッジ部分との間に、図１での左右方向に開いたスリット部（溝部）８，９が形成されている。このスリット部８，９は、互いに密着して環状に配列されたエレメント１を環状に結束するための、例えば金属製の環状の帯状体であるフープ１０を挿入して巻き掛けるための部分であり、したがって板部４の図１，２での上側のエッジ部分が、フープ１０の内周面を接触させて載せるサドル面１１，１２となっている。
【００１８】
このエレメント１は、環状に配列された状態でフープ１０によって結束され、その状態で駆動側および従動側のそれぞれのプーリ５に巻き掛けられる。したがってプーリ５に巻き掛けられた状態では、各エレメント１が、プーリ５の中心に対して扇状に拡がり、かつ互いに密着する必要があるため、各エレメント１の図１，２での下側の部分（環状に配列した状態での中心側の部分）が薄肉に形成されている。すなわち、板部４の一方の面（例えば図２における左側の面）における前記サドル面１１，１２より所定寸法下がった（オフセットされた）部分から下側の部分が削り落とされた状態で次第に薄肉化されている。したがって、各エレメント１が扇形に拡がって接触する状態、言い換えると、各エレメント１がプーリ５に巻き掛かり円弧状に湾曲して配列されてベルトが湾曲するベルト湾曲状態の場合に、その板厚の変化する境界部分で接触する。この境界部分のエッジが、ロッキングエッジ１３となっている。
【００１９】
また、各エレメント１の頭部７には、各エレメント１がプーリ５に巻き掛からず直線状に配列されるベルト直線状態の場合に、エレメント１の相対的な位置を決めるための凸部１４と凹部１５とが形成されている。すなわち、前述した首部６の延長位置（あるいは頭部７の中央部）には、この発明における第１の凸部に相当する凸部１４として、一方の面側（図２の例では、前記ロッキングエッジ１３のある面側）に凸となる円錐台形のディンプル１４が形成されている。そしてこのディンプル１４とは反対側の面に、この発明における第１の凹部に相当する凹部１５として、隣接するエレメント１におけるディンプル１４を緩く嵌合（挿入）させる有底円筒状のホール１５が形成されている。このように、伝動ベルトＶのベルト直線状態でこれらのディンプル１４とホール１５とが嵌合することによって、その状態におけるエレメント１同士の図１での左右方向および上下方向の相対位置を決めることができる。
【００２０】
なお、このような構成のエレメント１では、ディンプル１４とホール１５とによって図１，２での上下方向の位置が規制され、これに対してフープ１０の張力によってサドル面１１，１２に図１，２での下向きの荷重が作用する。そのため、ディンプル１４あるいはホール１５とサドル面１１，１２との間の寸法にばらつきがあった場合には、首部６を引っ張る方向の荷重が作用する。その場合、サドル面１１，１２が首部６の基端部から直角方向（図１，２でのｙ方向）に延びているから、首部６とサドル面１１，１２との間に曲げモーメントが作用する。その曲げモーメントは、首部６とサドル面１１，１２との境界部となっているコーナー部で最大となるから、この部分での応力集中を防止するために、図１に示すように、そのコーナー部を円弧状に窪ませていわゆるＲ部１６が形成されている。
【００２１】
そして、この発明における伝動ベルトＶを構成する各エレメント１の板部４には、伝動ベルトＶがベルト湾曲状態の場合に、エレメント１のヨーイングを抑制するための凸部１７と凹部１８とが形成されている。すなわち、エレメント１がプーリ５に巻き掛けられている状態で、板部４のロッキングエッジ１３よりも図１，２での下側の部分、言い換えると、板部４のロッキングエッジ１３よりもプーリ５のプーリ軸心に近い側の部分に設けられた平坦部４ａに、この発明における第２の凸部に相当する凸部１７として、一方の面側（図２の例では、前記ロッキングエッジ１３のある面側）に凸となる円錐台形のディンプル１７が形成されている。そしてこのディンプル１７とは反対側の面に、この発明における第２の凹部に相当する凹部１８として、隣接するエレメント１におけるディンプル１７を嵌合（挿入）させる有底円筒状のホール１８が形成されている。このように、伝動ベルトＶのベルト湾曲状態でこれらのディンプル１７とホール１８とが嵌合することによって、図１に示す状態のエレメント１の断面Ａ−Ａ方向を見た図７に示すように、その状態におけるエレメント１のヨーイング方向（図７において矢印Ｙで示す方向）における移動を規制することができる。
【００２２】
図３、図４は、上述のような、ディンプル１４とホール１５と、およびディンプル１７とホール１８とが嵌合して係合する状態を説明するための図であって、図３は、ベルト直線状態におけるディンプル１４とホール１５と、およびディンプル１７とホール１８との係合・解放状態を示している。すなわち、伝動ベルトＶがベルト直線状態となった場合は、隣接するエレメント１のディンプル１４とホール１５とが嵌合して係合する。そして隣接するエレメント１のディンプル１７とホール１８とは係合しない。言い換えると、伝動ベルトＶがベルト直線状態となった場合は、隣接するエレメント１のディンプル１４とホール１５と、すなわち第１の凹・凸部１４，１５が係合状態となるとともに、隣接するエレメント１のディンプル１７とホール１８と、すなわち第２の凹・凸部１７，１８が非係合状態となる。
【００２３】
一方、図４は、ベルト湾曲状態におけるディンプル１４とホール１５と、およびディンプル１７とホール１８との係合・解放状態を示している。すなわち、伝動ベルトＶがベルト湾曲状態となった場合は、隣接するエレメント１のディンプル１４とホール１５とは係合しない。そして隣接するエレメント１のディンプル１７とホール１８とが嵌合して係合する。言い換えると、伝動ベルトＶがベルト湾曲状態となった場合は、隣接するエレメント１のディンプル１４とホール１５と、すなわち第１の凹・凸部１４，１５は非係合状態となり、隣接するエレメント１のディンプル１７とホール１８と、すなわち第２の凹・凸部１７，１８が係合状態となる。
【００２４】
また、図５、図６は、上述のような、ディンプル１４とホール１５との嵌合部、およびディンプル１７とホール１８との嵌合部におけるクリアランスの大小関係を説明するための図である。そのうち図５は、前述の図１に示す状態のエレメント１における断面Ａ−Ａを見た図であって、ベルト直線状態でディンプル１４とホール１５とが嵌合して係合している場合のそれらの嵌合部のクリアランスを示している。すなわち、ベルト直線状態でディンプル１４とホール１５とが嵌合している状態において、ディンプル１４とホール１５との平均的な間隙であるクリアランスＣ１は、その平均的な間隙部分（図５の直線Ｌ１で示す部分）におけるディンプル１４の直径Ｄd1とホール１５の直径Ｄh1との差によって表すことができる。
【００２５】
一方、図６は、図１に示す状態のエレメント１における断面Ｂ−Ｂを見た図であって、ベルト湾曲状態でディンプル１７とホール１８とが嵌合して係合している場合のそれらの嵌合部のクリアランスを示している。すなわち、ベルト湾曲状態でディンプル１７とホール１８とが嵌合している状態において、ディンプル１７とホール１８との平均的な間隙であるクリアランスＣ２は、その平均的な間隙部分（図６の直線Ｌ２で示す部分）におけるディンプル１７の直径Ｄd2とホール１８の直径Ｄh2との差によって表すことができる。
【００２６】
そしてこれらのクリアランスＣ１，Ｃ２は、クリアランスＣ１に対してクリアランスＣ２が小さくなるように、各ディンプル１４，１７および各ホール１５，１８の各直径Ｄd1，Ｄd2，Ｄh1，Ｄh2が設定されている。すなわち、ディンプル１４とホール１５との間のクリアランスＣ１よりも、ディンプル１７とホール１８との間のクリアランスＣ２が小さな値に設定されている。
【００２７】
ベルト直線状態では、その状態における各エレメント１の位置決めをするためディンプル１４とホール１５とが嵌合する必要があるが、走行中の伝動ベルトＶの上下方向および左右方向の動きに各エレメント１が追従するために、ディンプル１４とホール１５との嵌合部には所定の自由度が必要とされる。そのため、ディンプル１４とホール１５との間のクリアランスＣ１は相対的に大きな値に設定される。一方、ベルト湾曲状態では、前述のように、その状態においてエレメント１にヨーイングが生じると、エレメント１の左右側面２，３とプーリー５のベルト巻き掛け溝５ａの接触部分において偏摩耗が発生する場合がある。そのためベルト湾曲状態におけるエレメント１のヨーイング方向における移動を規制するために、ディンプル１７とホール１８との間のクリアランスＣ２はできるだけ小さな値に設定されるのが望ましい。また、ベルト湾曲状態におけるエレメント１は、プーリ５の固定シーブと可動シーブとに挟み込まれることによって、自ずと調芯されて位置決めされるため、クリアランスＣ１のように相対的に大きなクリアランスは必要とされない。そのため、ディンプル１７とホール１８との間のクリアランスＣ２は相対的に小さな値に設定される。
【００２８】
このように、ベルト直線状態で係合状態となるディンプル１４とホール１５との間のクリアランスＣ１が相対的に大きく設定され、ベルト湾曲状態で係合状態となるディンプル１７とホール１８との間のクリアランスＣ２が相対的に小さく設定されることによって、ベルト直線状態におけるエレメント１の移動の自由度を確保しつつ、ベルト湾曲状態におけるエレメント１のヨーイングを抑制することができる。
【００２９】
以上のように構成されたエレメント１によって構成されるこの発明に係る伝動ベルトＶによれば、ベルト直線状態では、エレメント１の頭部７に形成されたディンプル１４とホール１５と（すなわち第１の凹・凸部１４，１５）が、隣接するエレメント１同士の間で互いに係合されて係合状態となり、エレメント１のロッキングエッジ１３よりもプーリ５の軸心に近い位置に形成されたディンプル１７とホール１８と（すなわち第１の凹・凸部１７，１８）が、隣接するエレメント１同士の間で互いに係合されない非係合状態となる。そして、ベルト湾曲状態では、ディンプル１７とホール１８とが係合状態となる。
【００３０】
そのため、ベルト直線状態の伝動ベルトＶにおいて、隣接する各エレメント１は、ディンプル１４とホール１５とが互いに嵌合することによって、エレメント１同士の上下方向および左右方向の相対位置が決められるとともに、ディンプル１７とホール１８とは嵌合されないため、エレメント１がディンプル１４とホール１５との嵌合部分を支点として上下方向および左右方向に移動しても、ディンプル１４とホール１５との嵌合部およびディンプル１７とホール１８との嵌合部分で互いに干渉を起こし、大きな応力が生じてしまうことを回避できる。そして、ベルト湾曲状態の伝動ベルトＶにおいては、隣接する各エレメント１は、ディンプル１７とホール１８とが互いに嵌合することによって、プーリ５内でのエレメント１のヨーイングの発生を防止し、もしくは抑制することができ、エレメント１の左右側面２，３とプーリ５のベルト巻き掛け溝５ａとが片当たりして、それらの接触部分で偏摩耗が生じてしまうことを防止もしくは抑制することができる。その結果、伝動ベルトＶおよびプーリ５の耐久性を向上させることができる。
【００３１】
また、ベルト湾曲状態の伝動ベルトＶにおいて、隣接する各エレメント１は、ディンプル１４とホール１５との間のクリアランスＣ１よりも小さなクリアランスＣ２に設定されているディンプル１７とホール１８とが互いに嵌合することによって、プーリ５内でのエレメント１のヨーイングの発生をより確実に防止し、もしくは抑制することができ、その結果、伝動ベルトおよびプーリの耐久性をより一層向上させることができる。
【００３２】
なお、この発明は上述した具体例に限定されない。すなわち。具体例では、この発明の伝動ベルトがベルト式無段変速機に使用されている例を示しているが、この発明の伝動ベルトは、ベルト式無段変速機に限らず、ベルトとプーリとによって構成される他の巻き掛け伝動装置の伝動ベルトにも適用することができる。
【００３３】
また、具体例では、この発明の第１の凹・凸部および第２の凹・凸部が、円錐台形のディンプルとホールである例を示しているが、それら凹・凸部の形状は円錐台形に限定されるものではなく、他の任意の形状であってもよい。
【００３４】
さらに、具体例では、エレメントの本体部のロッキングエッジよりも下側の部分の中央付近に、一対の第２の凹・凸部が形成されている例を示しているが、エレメントの本体部のロッキングエッジよりも下側の部分の任意の位置に、複数対の第２の凹・凸部が形成される構成であってもよい。
【図面の簡単な説明】
【００３５】
【図１】この発明に係る伝動ベルトを構成するエレメントの構成例を示すものであって、そのエレメントの正面図である。
【図２】この発明に係る伝動ベルトを構成するエレメントの構成例を示すものであって、そのエレメントの一部断面した側面図である。
【図３】ベルト直線状態におけるディンプル１４とホール１５との係合・解放状態およびディンプル１７とホール１８との係合・解放状態を説明するための模式図である。
【図４】ベルト湾曲状態におけるディンプル１４とホール１５との係合・解放状態およびディンプル１７とホール１８との係合・解放状態を説明するための模式図である。
【図５】ディンプル１４とホール１５との間のクリアランスを説明するための模式図であって、図１に示す状態のエレメントの断面Ａ−Ａ方向からみた図である。
【図６】ディンプル１７とホール１８との間のクリアランスを説明するための模式図であって、図１に示す状態のエレメントの断面Ｂ−Ｂ方向からみた図である。
【図７】ベルト湾曲状態でエレメントがヨーイングした際にディンプル１７とホール１８とがそのヨーイングを抑制する状態を説明するための模式図であって、図１に示す状態のエレメントの断面Ａ−Ａ方向からみた図である。
【符号の説明】
【００３６】
１…エレメント、  ２，３…左右側面、  ４…板部（本体部）、  ５…プーリ、  ７…頭部、  １０…フープ、  １３…ロッキングエッジ、  １４…ディンプル（第１の凸部）、  １５…ホール（第１の凹部）、  １７…ディンプル（第２の凸部）、  １８…ホール（第２の凹部）、  Ｖ…伝動ベルト。
【図１】
2006266363.tif 000003
【図２】
2006266363.tif 000004
【図３】
2006266363.tif 000005
【図４】
2006266363.tif 000006
【図５】
2006266363.tif 000007
【図６】
2006266363.tif 000008
【図７】
2006266363.tif 000009